【事件の表示】
　特願２０１９−１０４１２７号「遊技機」拒絶査定不服審判事件〔令和　１年　８月２２日出願公開、特開２０１９−１３６５９６号、請求項の数（２）〕について、次のとおり審決する。
【結　論】
　原査定を取り消す。
　本願の発明は、特許すべきものとする。
【理　由】
第１　手続の経緯
　本件に係る出願（以下「本願」という。）は、平成２４年７月２７日に出願した特願２０１２−１６６５６０号の一部を平成２９年６月１３日に新たな特許出願（特願２０１７−１１５５６８号）とし、さらにその一部を平成３０年１２月２７日に新たな特許出願（特願２０１８−２４３８７２号）とし、さらにその一部を令和１年６月４日に新たな特許出願（特願２０１９−１０４１２７号）としたものであって、同年１０月１５日付けで拒絶の理由が通知され、同年１２月１８日に意見書及び手続補正書が提出され、令和２年２月７日付けで拒絶の理由が通知され、同年４月１７日に意見書及び手続補正書が提出されたところ、同年６月１９日付け（送達日：同年同月３０日）で拒絶査定（以下、「原査定」という。）がなされ、これに対し、同年９月２９日に拒絶査定不服審判の請求がされたものである。
第２　原査定の概要
　原査定の概要は次のとおりである。
（新規性）この出願の請求項１ないし２に係る発明は、その出願前に日本国内又は外国において、頒布された以下の引用文献２に記載された発明であるから、特許法第２９条第１項第３号に該当し、特許を受けることができない。
（進歩性）この出願の請求項１ないし２に係る発明は、その出願前に日本国内又は外国において、頒布された以下の引用文献２に記載された発明に基いて、その出願前にその発明の属する技術の分野における通常の知識を有する者が容易に発明をすることができたものであるから、特許法第２９条第２項の規定により特許を受けることができない。
　　引用文献２．特開２０１０−２５９７２３号公報
第３　本願発明
　本願の請求項１ないし２に係る発明（以下、それぞれ「本願発明１」等という。）は、令和２年４月１７日に提出された手続補正書により補正された特許請求の範囲の請求項１ないし２に記載された事項によって特定されるものであるところ、本願発明１は、次のとおりのものである。なお、符号Ａ等は、分説するため当審が付した。分説された本願発明１の発明特定事項を、符号に基づき以下「発明特定事項Ａ」等という。
「Ａ　所定状態ではない状態である場合に、第１演出の演出内容と第２演出の演出内容との間に規則性が生じるものとなるように制御する対応制御手段と、
　Ｂ　前記所定状態である場合に、前記第１演出の演出内容と前記第２演出の演出内容との間に前記規則性が生じないものとなるように制御する非対応制御手段と、
　Ｃ　遊技者に特典を付与するか否かの判定を行う判定処理を実行する判定手段と、
　Ｄ　前記判定処理の結果が付与結果となったことに基づいて、遊技者に特典を付与する特典付与手段と、
を備え、
　Ｅ　遊技状態として、相対的に、遊技者に特典が付与され易い第１状態と、付与されにくい第２状態とが存在しており、
　Ｆ　本遊技機は、
　Ｆ１　前記判定処理の結果が前記付与結果のうち第１付与結果となったことに基づいて、前記第１状態を発生させる手段と、
　Ｆ２　前記判定処理の結果が前記付与結果のうち第２付与結果となったことに基づいて、前記第２状態を発生させる手段と、
を備え、
　Ｇ　前記所定状態は、前記第１状態となっている状態であって、遊技機の報知状態として前記第１状態及び前記第２状態のうちいずれであるかを遊技者が識別不可又は識別しづらい状態となっている状態であり、
　Ｋ　遊技が進行する過程で発生し得る特定事象が発生した場合に、前記対応制御手段及び前記非対応制御手段のうち一方の制御が行われる状態から他方の制御が行われる状態に変更される構成であり、
　Ｈ　前記所定状態ではない状態である場合には前記非対応制御手段による制御が行われない
　Ｘ　ことを特徴とする遊技機。」
　なお、本願発明２は、本願発明１を減縮した発明である。
第４　引用文献２の記載、引用発明
１　令和２年２月７日付け拒絶理由で引用された引用文献２（特開２０１０−２５９７２３号公報。平成２２年１１月１８日公開）には、遊技機（発明の名称）に関し、次の事項が図とともに記載されている。なお、下線は合議体が付した。以下同じ。
（１）「【００６１】
　……さらに、
通常状態に比べて大当りとすることに決定される確率（大当り確率）が高い状態である確変状態（高確率状態ともいう）では、所定期間に亘り、
時短状態に制御される場合（
確変大当り、第２突確大当り）と、
時短状態に制御されない場合（
第１突確大当り）とがある
（２）「【００６７】
　第１特別図柄表示器８ａまたは第２特別図柄表示器８ｂでの特別図柄の表示結果（停止図柄）が、特定表示結果としての大当り図柄（大当り表示結果ともいう）であると、大当りとなる。
大当りとなったときには、パチンコ遊技機１の遊技状態が、通常遊技状態から、遊技者にとって有利な特定遊技状態としての大当り遊技状態に移行する
……
【００７４】
　また、
９Ｒ長期大当りは、大当り遊技状態の終了後に確変状態に制御されない通常大当りと、大当り遊技状態の終了後に確変状態に制御される確変大当りとの複数種類の大当り種別に分けられる
【００７５】
　また、
９Ｒ短期大当りは、大当り遊技状態の終了後に確変状態に制御される突然確変大当り（
突確大当り
）と呼ばれる
（３）「【００９７】
　図２は、主基板（遊技制御基板）３１における回路構成の一例を示すブロック図である。なお、図２は、払出制御基板３７および演出制御基板８０等も示されている。
主基板３１には、プログラムにしたがってパチンコ遊技機１を制御する遊技制御用マイクロコンピュータ
５６０が搭載されている
遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む
（４）「【０１５５】
　図７（Ａ），（Ｂ）に記載されている数値が大当り判定値または小当り判定値である。
　
ＣＰＵ５６は、
ランダムＲの値が
大当り判定値に合致すると、特別図柄に関して大当り（通常大当り、確変大当り、第１突確大当り、または、第２突確大当り）にすることに決定する
ランダムＲの値が
小当り判定値に合致すると、特別図柄に関して小当りにすることに決定する
【０１５６】
　図７（Ｃ）は、ＲＯＭ５４に記憶されている第１特別図柄低確率時大当り種別判定テーブルを示す説明図である。第１特別図柄低確率時大当り種別判定テーブルは、通常状態である低確率時において第１特別図柄の変動表示結果を大当り図柄にする旨の判定がなされたときに、大当り種別判定用の乱数（ランダム２）に基づいて、大当りの種別を「第１突確大当り」、「第２突確大当り」、「確変大当り」、「通常大当り」のうちのいずれかに決定するために参照されるテーブルである。
第１特別図柄低確率時大当り種別判定テーブルには、ランダム２の値と比較される数値であって、「第１突確大当り」、「第２突確大当り」、「確変大当り」、「通常大当り」のそれぞれに対応した判定値（大当り種別判定値）が設定されている
ＣＰＵ５６は、ランダム２の値が大当り種別判定値のいずれかに合致した場合に、大当りの種別を、合致した大当り種別判定値に対応する種別に決定する
【０１５７】
　図７（Ｄ）は、ＲＯＭ５４に記憶されている第１特別図柄高確率時大当り種別判定テーブルを示す説明図である。第１特別図柄高確率時大当り種別判定テーブルは、確変状態である高確率時において第１特別図柄の変動表示結果を大当り図柄にする旨の判定がなされたときに、大当り種別判定用の乱数（ランダム２）に基づいて、大当りの種別を「第１突確大当り」、「第２突確大当り」、「確変大当り」、「通常大当り」のうちのいずれかに決定するために参照されるテーブルである。第１特別図柄高確率時大当り種別判定テーブルには、ランダム２の値と比較される数値であって、「第１突確大当り」、「第２突確大当り」、「確変大当り」、「通常大当り」のそれぞれに対応した判定値（大当り種別判定値）が設定されている。ＣＰＵ５６は、ランダム２の値が大当り種別判定値のいずれかに合致した場合に、大当りの種別を、合致した大当り種別判定値に対応する種別に決定する。」
（５）「【０１８２】
　このように、
９Ｒ短期大当りにおける開放パターンは、
小当りにおける開放パターンと同一のパターンとなる場合があるので、開放パターンを見るだけでは、突確大当りであるか小当りであるかを遊技者が判断不可能となる場合がある
このような場合、演出表示装置９では、潜伏確変状態を演出するための演出モードとしての潜伏モードに制御し、確変状態が潜伏しているかもしれないことを演出する表示を行なう場合がある
【０１８３】
　また、９Ｒ短期大当りにおける開放パターンは、開放パターンＢのように、小当りにおける開放パターンと類似するパターン（開放パターンＡ）となる場合があるので、開放パターンを正確に観察しなければ、突確大当りであるか小当りであるかを遊技者が判断不可能となる場合がある。このような場合においても、演出表示装置９では、潜伏確変状態を演出するための演出モードとしての潜伏モードに制御し、確変状態が潜伏しているかもしれないことを演出する表示を行なう場合がある。」
（６）「【０５８２】
　次に、第２予告演出設定処理のＳ７３５で用いられるステップアップ予告の予告パターン決定用テーブルについて説明する。図５７は、ステップアップ予告の予告パターン決定用テーブルを示す説明図である。
【０５８３】
　ステップアップ予告の予告パターン決定用テーブルは、第２予告特定演出決定用の乱数ＳＲ９および第２予告パターン決定用の乱数ＳＲ１０の値に基づいて、第２予告演出におけるステップアップ予告の予告パターンを複数の予告パターンのうちから選択決定するために用いられるデータテーブルである。
【０５８４】
　図５７を参照して、
ステップアップ予告の予告パターン決定用テーブルは、（ａ）〜（ｃ）に示す３つのデータテーブルを含む
（ａ）には、潜伏モード以外の状態で用いられる通常時ステップアップ予告パターン決定テーブルが示されている
（ｂ）には、潜伏モードにおいて確変状態が潜伏していない低確率状態であるときに用いられる非潜伏時ステップアップ予告パターン決定テーブルが示されている
（ｃ）には、潜伏モードにおいて確変状態が潜伏している高確率状態であるとき用いられる潜伏時ステップアップ予告パターン決定テーブルが示されている
【０５８５】
　（ａ）〜（ｃ）に示すテーブルでは、第２予告特定演出決定用の乱数ＳＲ９と、決定するステップアップ種別（通常ステップアップ、特定ステップアップ）との関係が示されているとともに、決定したステップアップ種別における第２予告パターン決定用の乱数ＳＲ１０の値と、決定する予告パターンとの関係が示されている。ここで、
通常ステップアップとは、ステップアップ演出の標準となる基本的なステップアップパターンであり、たとえば、Ａ〜ＤのステップがＡ→Ｂ→Ｃ→Ｄというように標準的にステップアップする演出をいう
一方、特定ステップアップとは、通常ステップアップとステップアップ順序が異なるステップアップパターンであり、たとえば、Ａ〜ＤのステップがＡ→Ｃ→Ｂ→Ｄというように特定のステップアップパターンでステップアップする演出をいう
このようなステップアップ種別は、予め定められたタイミングで抽出されたＳＲ９の値に基づき選択決定される
……
【０５８８】
　（ａ）の
通常時ステップアップ予告パターン決定テーブルでは、変動表示結果がはずれ表示結果となるときと、変動表示結果が大当りまたは小当りの表示結果となるときとの両方で、ＳＲ９の値にかかわらず、ステップアップ種別として通常ステップアップのみが選択決定される
【０５８９】
　（ｂ）の
非潜伏時ステップアップ予告パターン決定テーブル
は、変動表示結果がはずれ表示結果となるときには、ＳＲ９の値に基づいて、通常ステップアップと、特定ステップアップとのどちらかのステップアップ種別が選択される
【０５９０】
　（ｃ）の
潜伏時ステップアップ予告パターン決定テーブル
は、
変動表示結果が大当りまたは小当りの表示結果となるときに、特定ステップアップの種別のみが選択される
（７）「【０７４３】
　（５）　図５７に示すように、潜伏モードに制御されているときに潜伏モードに制御されていないときに行なわれるステップアップ演出と異なる順序で演出態様をステップアップさせることにより、高確率状態の可能性が示唆されるので、演出の進展態様が遊技者の興味を引くことに基づいて、遊技の興趣をより一層向上させることができる。」
（８）「【図５７】
」
（９）認定事項
　図５７（ｃ）から、
潜伏時ステップアップ予告パターン決定テーブルでは、変動表示結果がはずれ表示結果となるときに、ＳＲ９の値に基づいて、通常ステップアップと、特定ステップアップとのどちらかのステップアップ種別が選択される
２　上記１からみて、引用文献２には、次の発明が記載されている。なお、符号ａ等については本願発明１の発明特定事項Ａ等に概ね対応させて付与し、引用箇所の段落番号を併記した。
「ｅ　通常状態に比べて大当りとすることに決定される確率（大当り確率）が高い状態である確変状態（高確率状態ともいう）では、所定期間に亘り、時短状態に制御される場合（確変大当り、第２突確大当り）と、時短状態に制御されない場合（第１突確大当り）とがあり（【００６１】）、
　ｄ　大当りとなったときには、パチンコ遊技機１の遊技状態が、通常遊技状態から、遊技者にとって有利な特定遊技状態としての大当り遊技状態に移行し（【００６７】）、
　ｆ　９Ｒ長期大当りは、大当り遊技状態の終了後に確変状態に制御されない通常大当りと、大当り遊技状態の終了後に確変状態に制御される確変大当りとの複数種類の大当り種別に分けられ（【００７４】）、
　９Ｒ短期大当りは、大当り遊技状態の終了後に確変状態に制御される突然確変大当り（突確大当り）と呼ばれ（【００７５】）、
　ｃ　主基板３１には、プログラムにしたがってパチンコ遊技機１を制御する遊技制御用マイクロコンピュータ５６０が搭載されており、遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含み（【００９７】）、
　ＣＰＵ５６は、ランダムＲの値が大当り判定値に合致すると、特別図柄に関して大当り（通常大当り、確変大当り、第１突確大当り、または、第２突確大当り）にすることに決定し、ランダムＲの値が小当り判定値に合致すると、特別図柄に関して小当りにすることに決定し（【０１５５】）、
　第１特別図柄低確率時大当り種別判定テーブルには、ランダム２の値と比較される数値であって、「第１突確大当り」、「第２突確大当り」、「確変大当り」、「通常大当り」のそれぞれに対応した判定値（大当り種別判定値）が設定されており、ＣＰＵ５６は、ランダム２の値が大当り種別判定値のいずれかに合致した場合に、大当りの種別を、合致した大当り種別判定値に対応する種別に決定し（【０１５６】）、
　ａ、ｂ、ｇ、ｋ　９Ｒ短期大当りにおける開放パターンは、小当りにおける開放パターンと同一のパターンとなる場合があるので、開放パターンを見るだけでは、突確大当りであるか小当りであるかを遊技者が判断不可能となる場合があり、このような場合、演出表示装置９では、潜伏確変状態を演出するための演出モードとしての潜伏モードに制御し、確変状態が潜伏しているかもしれないことを演出する表示を行なう場合があり（【０１８２】）、
　ステップアップ予告の予告パターン決定用テーブルは、（ａ）〜（ｃ）に示す３つのデータテーブルを含み、（ａ）には、潜伏モード以外の状態で用いられる通常時ステップアップ予告パターン決定テーブルが示されており、（ｂ）には、潜伏モードにおいて確変状態が潜伏していない低確率状態であるときに用いられる非潜伏時ステップアップ予告パターン決定テーブルが示されており、（ｃ）には、潜伏モードにおいて確変状態が潜伏している高確率状態であるとき用いられる潜伏時ステップアップ予告パターン決定テーブルが示されており（【０５８４】）、
　通常ステップアップとは、ステップアップ演出の標準となる基本的なステップアップパターンであり、たとえば、Ａ〜ＤのステップがＡ→Ｂ→Ｃ→Ｄというように標準的にステップアップする演出をいい、一方、特定ステップアップとは、通常ステップアップとステップアップ順序が異なるステップアップパターンであり、たとえば、Ａ〜ＤのステップがＡ→Ｃ→Ｂ→Ｄというように特定のステップアップパターンでステップアップする演出をいい、このようなステップアップ種別は、予め定められたタイミングで抽出されたＳＲ９の値に基づき選択決定され（【０５８５】）、
　通常時ステップアップ予告パターン決定テーブルでは、変動表示結果がはずれ表示結果となるときと、変動表示結果が大当りまたは小当りの表示結果となるときとの両方で、ＳＲ９の値にかかわらず、ステップアップ種別として通常ステップアップのみが選択決定され（【０５８８】）、
　非潜伏時ステップアップ予告パターン決定テーブルでは、変動表示結果がはずれ表示結果となるときには、ＳＲ９の値に基づいて、通常ステップアップと、特定ステップアップとのどちらかのステップアップ種別が選択され（【０５８９】）、
　潜伏時ステップアップ予告パターン決定テーブルでは、変動表示結果が大当りまたは小当りの表示結果となるときに、特定ステップアップの種別のみが選択され（【０５９０】）、
　潜伏時ステップアップ予告パターン決定テーブルでは、変動表示結果がはずれ表示結果となるときに、ＳＲ９の値に基づいて、通常ステップアップと、特定ステップアップとのどちらかのステップアップ種別が選択される（認定事項）
　ｘ　パチンコ遊技機１（【００６７】）。」（以下「引用発明」という。）
第５　対比
　本願発明１と引用発明を対比する。なお、見出し（ａ）等は、本願発明１の発明特定事項Ａ等に概ね対応する。
（ａ）引用発明の「潜伏モードにおいて確変状態が潜伏している高確率状態」は、本願発明１の「所定状態」に相当する。また、引用発明の「潜伏モード以外の状態」及び「潜伏モードにおいて確変状態が潜伏していない低確率状態」は、本願発明１の「所定状態ではない状態」に相当する。
　また、引用発明は「潜伏モード以外の状態」である場合に「通常時ステップアップ予告パターン決定テーブル」を用いるところ、「通常時ステップアップ予告パターン決定テーブル」では「通常ステップアップ」が選択決定される。ここで、引用発明が「通常時ステップアップ予告パターン決定テーブル」を用いて「通常ステップアップ」を選択決定するためには、引用発明がこのように制御する「手段」を備えることは明らかである。
　また、引用発明の「ステップアップ予告」における１回目の「ステップ」及び当該「ステップ」の演出内容（例えば、「Ａ」）が、本願発明１の「第１演出」及び「第１演出の演出内容」に相当し、引用発明の「ステップアップ予告」における２回目の「ステップ」及び当該「ステップ」の演出内容（「例えば、「Ｂ」や「Ｃ」）が、本願発明１の「第２演出」及び「第２演出の演出内容」に相当する。そして、引用発明の「通常ステップアップ」は、「ステップアップ演出の標準となる基本的なステップアップパターンであり、たとえば、Ａ〜ＤのステップがＡ→Ｂ→Ｃ→Ｄというように標準的にステップアップする演出」であるから、引用発明の「通常ステップアップ」は、本願発明１の「第１演出の演出内容と第２演出の演出内容との間に規則性が生じるもの」と同様であるといえる。
　以上のことから、引用発明は、本願発明１の「所定状態ではない状態である場合に、第１演出の演出内容と第２演出の演出内容との間に規則性が生じるものとなるように制御する対応制御手段」に相当する構成を含むといえる。
　また、引用発明は「潜伏モードにおいて確変状態が潜伏していない低確率状態」である場合に「非潜伏時ステップアップ予告パターン決定テーブル」を用いるところ、「非潜伏時ステップアップ予告パターン決定テーブル」では「通常ステップアップ」が選択決定され得る。ここで、引用発明が「非潜伏時ステップアップ予告パターン決定テーブル」を用いて、「通常ステップアップ」を選択決定するためには、引用発明がこのように制御する「手段」を備えることは明らかである。このことからも、引用発明は、本願発明１の「所定状態ではない状態である場合に、第１演出の演出内容と第２演出の演出内容との間に規則性が生じるものとなるように制御する手段」に相当する構成を含むといえる。
　したがって、引用発明は、本願発明１の発明特定事項Ａに相当する構成を含む。
（ｂ）上記（ａ）で述べたように、引用発明の「潜伏モードにおいて確変状態が潜伏している高確率状態」は、本願発明１の「所定状態」に相当する。
　また、引用発明は「潜伏モードにおいて確変状態が潜伏している高確率状態」である場合に「潜伏時ステップアップ予告パターン決定テーブル」を用いるところ、「潜伏時ステップアップ予告パターン決定テーブル」では「特定ステップアップ」が選択され得る。ここで、引用発明が「潜伏時ステップアップ予告パターン決定テーブル」を用いて「特定ステップアップ」を選択するためには、引用発明がこのように制御する「手段」を備えることは明らかである。
　また、上記（ａ）で述べたように、引用発明の「ステップアップ予告」における１回目の「ステップ」及び当該「ステップ」の演出内容（例えば、「Ａ」）が、本願発明１の「第１演出」及び「第１演出の演出内容」に相当し、引用発明の「ステップアップ予告」における２回目の「ステップ」及び当該「ステップ」の演出内容（例えば、「Ｂ」や「Ｃ」）が、本願発明１の「第２演出」及び「第２演出の演出内容」に相当する。そして、引用発明の「特定ステップアップ」は、「通常ステップアップとステップアップ順序が異なるステップアップパターンであり、たとえば、Ａ〜ＤのステップがＡ→Ｃ→Ｂ→Ｄというように特定のステップアップパターンでステップアップする演出」であるから、引用発明の「特定ステップアップ」は、本願発明１の「前記第１演出の演出内容と前記第２演出の演出内容との間に前記規則性が生じないもの」と同様であるといえる。
　以上のことから、引用発明は、本願発明１の「前記所定状態である場合に、前記第１演出の演出内容と前記第２演出の演出内容との間に前記規則性が生じないものとなるように制御する手段」に相当する構成を含むといえる。
　したがって、引用発明は、本願発明１の発明特定事項Ｂに相当する構成を含む。
（ｃ、ｄ）引用発明の「大当り」及び「大当り遊技状態」は本願発明１の「付与結果」及び「特典」に相当する。
　また、引用発明の「ランダムＲの値が大当り判定値に合致すると、特別図柄に関して大当り（通常大当り、確変大当り、第１突確大当り、または、第２突確大当り）にすることに決定」すること、及び「ランダム２の値が大当り種別判定値のいずれかに合致した場合に、大当りの種別を、合致した大当り種別判定値に対応する種別に決定」することは、本願発明１の「遊技者に特典を付与するか否かの判定を行う判定処理」に相当する。そして、引用発明の上記「決定」を行う「ＣＰＵ５６」は、本願発明１の「遊技者に特典を付与するか否かの判定を行う判定処理を実行する判定手段」に相当する。
　また、引用発明では、「大当りとなったときには、パチンコ遊技機１の遊技状態が、通常遊技状態から、遊技者にとって有利な特定遊技状態としての大当り遊技状態に移行」するから、引用発明は、本願発明１の発明特定事項Ｄにおける「前記判定処理の結果が付与結果となったことに基づいて、遊技者に特典を付与する」ものであるといえる。そして、そのために引用発明が「特典付与手段」を備えることは、明らかである。
　したがって、引用発明は、本願発明１の発明特定事項Ｃ及びＤに相当する構成を含む。
（ｅ）引用発明の「通常状態に比べて大当りとすることに決定される確率（大当り確率）が高い状態である確変状態（高確率状態ともいう）」は、本願発明１の「遊技状態として、相対的に、遊技者に特典が付与され易い第１状態」に相当する。また、引用発明の「通常状態」は、本願発明１の「遊技状態として、相対的に、遊技者に特典が」「付与されにくい第２状態」に相当する。
　したがって、引用発明は、本願発明１の発明特定事項Ｅに相当する構成を含む。
（ｆ）引用発明の「突然確変大当り（突確大当り）」及び「確変大当り」は、本願発明１の「第１付与結果」に相当する。また、引用発明の「通常大当り」は、本願発明１の「第２付与結果」に相当する。さらに、上記（ｃ、ｄ）で述べたように、引用発明の「ＣＰＵ５６」が「大当りの種別を、合致した大当り種別判定値に対応する種別に決定」することは、本願発明１の「判定処理」に相当し、上記（ｅ）で述べたように、引用発明の「確変状態」及び「通常状態」は、本願発明１の「第１状態」及び「第２状態」に相当する。
　また、引用発明では、「第１特別図柄低確率時大当り種別判定テーブルには、ランダム２の値と比較される数値であって、「第１突確大当り」、「第２突確大当り」、「確変大当り」、「通常大当り」のそれぞれに対応した判定値（大当り種別判定値）が設定されており、ＣＰＵ５６は、ランダム２の値が大当り種別判定値のいずれかに合致した場合に、大当りの種別を、合致した大当り種別判定値に対応する種別に決定」するところ（発明特定事項ｃ）、ここで「決定」される「第１突確大当り」、「第２突確大当り」及び「確変大当り」は「大当り遊技状態の終了後に確変状態に制御される」ものである一方、「通常大当り」は「大当り遊技状態の終了後に確変状態に制御されない」ものである（発明特定事項ｆ）。
　そうすると、引用発明は、「ＣＰＵ５６」が「大当りの種別を、合致した大当り種別判定値に対応する種別に決定」すること（本願発明１の「判定処理」に相当する。）の結果が「大当り」（本願発明１の「特定結果」に相当する。）のうち「突然確変大当り（突確大当り）」及び「確変大当り」（これらは、本願発明１の「第１付与結果」に相当する。）となったことに基づいて、「確変状態」（本願発明１の「第１状態」に相当する。）を発生させ、「大当りの種別を、合致した大当り種別判定値に対応する種別に決定」することの結果が「大当り」のうち「通常大当り」（本願発明１の「第２付与結果」に相当する。）となったことに基づいて、「確変状態」を発生させず、「通常状態」（本願発明１の「第２状態」に相当する。）とするものであるといえる。
　したがって、引用発明は、本願発明１の発明特定事項ＦないしＦ２に相当する構成を含む。
（ｇ）上記（ａ）で述べたように、引用発明の「潜伏モードにおいて確変状態が潜伏している高確率状態」は、本願発明１の「所定状態」に相当する。
　また、上記（ｅ）で述べたように、引用発明の「確変状態」及び「通常状態」は、本願発明１の「第１状態」及び「第２状態」に相当するところ、引用発明の「確変状態が潜伏している高確率状態」は、本願発明１の「所定状態」と同様に「第１状態となっている状態」であるといえる。
　また、引用発明の「潜伏モード」が「確変状態が潜伏しているかもしれないことを演出する表示を行なう」ものであることや技術常識を踏まえれば、引用発明の「潜伏モード」は、本願発明１の「所定状態」と同様に「遊技機の報知状態として前記第１状態及び前記第２状態のうちいずれであるかを遊技者が識別不可又は識別しづらい状態となっている状態」であるといえる。
　そうすると、引用発明の「潜伏モードにおいて確変状態が潜伏している高確率状態」は、本願発明１の「所定状態」と同様に、「第１状態となっている状態」であって、「遊技機の報知状態として前記第１状態及び前記第２状態のうちいずれであるかを遊技者が識別不可又は識別しづらい状態となっている状態」である。
　したがって、引用発明は、本願発明１の発明特定事項Ｇに相当する構成を含む。
（ｋ）引用発明の「大当りまたは小当り」は、本願発明１の「遊技が進行する過程で発生し得る特定事象」に相当し、引用発明の「変動表示結果が大当りまたは小当りの表示結果となるとき」は、本願発明１の「遊技が進行する過程で発生し得る特定事象が発生した場合」に相当する。
　また、上記（ａ）で述べたように、引用発明の「通常ステップアップ」は、本願発明１の「第１演出の演出内容と第２演出の演出内容との間に規則性が生じるもの」と同様であり、引用発明が「通常ステップアップ」を実行するために本願発明１の「対応制御手段」に相当する構成を有することは明らかである。
　また、上記（ｂ）で述べたように、引用発明の「特定ステップアップ」は、本願発明１の「前記第１演出の演出内容と前記第２演出の演出内容との間に前記規則性が生じないもの」と同様であり、引用発明が「特定ステップアップ」を実行するために本願発明１の「非対応制御手段」に相当する構成を有することは明らかである。
　ここで、引用発明は、「潜伏時ステップアップ予告パターン決定テーブル」が用いられる「潜伏モードにおいて確変状態が潜伏している高確率状態」であるとき、「変動表示結果がはずれ表示結果となるときに、」「通常ステップアップ」「が選択され」得る一方、「変動表示結果が大当りまたは小当りの表示結果となるときに、特定ステップアップの種別のみが選択され」るものである。そうすると、引用発明は、本願発明１と同様に「遊技が進行する過程で発生し得る特定事象が発生した場合に、前記対応制御手段及び前記非対応制御手段のうち一方の制御が行われる状態から他方の制御が行われる状態に変更される構成」であるといえる。
　したがって、引用発明は、本願発明１の発明特定事項Ｋに相当する構成を含む。
（ｘ）引用発明の「パチンコ遊技機１」は、本願発明１の「遊技機」に相当する。
　以上のとおりであるから、本願発明１と引用発明とは、
「Ａ　所定状態ではない状態である場合に、第１演出の演出内容と第２演出の演出内容との間に規則性が生じるものとなるように制御する対応制御手段と、
　Ｂ　前記所定状態である場合に、前記第１演出の演出内容と前記第２演出の演出内容との間に前記規則性が生じないものとなるように制御する非対応制御手段と、
　Ｃ　遊技者に特典を付与するか否かの判定を行う判定処理を実行する判定手段と、
　Ｄ　前記判定処理の結果が付与結果となったことに基づいて、遊技者に特典を付与する特典付与手段と、
を備え、
　Ｅ　遊技状態として、相対的に、遊技者に特典が付与され易い第１状態と、付与されにくい第２状態とが存在しており、
　Ｆ　本遊技機は、
　Ｆ１　前記判定処理の結果が前記付与結果のうち第１付与結果となったことに基づいて、前記第１状態を発生させる手段と、
　Ｆ２　前記判定処理の結果が前記付与結果のうち第２付与結果となったことに基づいて、前記第２状態を発生させる手段と、
を備え、
　Ｇ　前記所定状態は、前記第１状態となっている状態であって、遊技機の報知状態として前記第１状態及び前記第２状態のうちいずれであるかを遊技者が識別不可又は識別しづらい状態となっている状態であり、
　Ｋ　遊技が進行する過程で発生し得る特定事象が発生した場合に、前記対応制御手段及び前記非対応制御手段のうち一方の制御が行われる状態から他方の制御が行われる状態に変更される構成である
　Ｘ　遊技機。」
である点で一致し、以下の点で相違する。
・相違点（発明特定事項Ｈ）
　本願発明１では、「前記所定状態ではない状態である場合には前記非対応制御手段による制御が行われない」のに対し、
　引用発明では、「潜伏モードにおいて確変状態が潜伏していない低確率状態」である場合に「非潜伏時ステップアップ予告パターン決定テーブル」を用いて「通常ステップアップと、特定ステップアップとのどちらか」を選択する点。
第６　判断
１　本願発明１
（１）相違点について
　上記第５（ａ）で述べたように、引用発明の「潜伏モードにおいて確変状態が潜伏していない低確率状態」は、本願発明１の「所定状態ではない状態」の一部に相当する。
　また、引用発明は「潜伏モードにおいて確変状態が潜伏していない低確率状態」である場合に「非潜伏時ステップアップ予告パターン決定テーブル」を用いるところ、「非潜伏時ステップアップ予告パターン決定テーブル」では「特定ステップアップ」が選択され得る。ここで、引用発明が「非潜伏時ステップアップ予告パターン決定テーブル」を用いて「特定ステップアップ」を選択するためには、引用発明がこのように制御する「手段」を備えることは明らかである。
　また、上記第５（ｂ）で述べたように、引用発明の「特定ステップアップ」は、本願発明１の「前記第１演出の演出内容と前記第２演出の演出内容との間に前記規則性が生じないもの」と同様であるといえる。
　以上のことから、引用発明は、「所定状態ではない状態」である場合に「前記第１演出の演出内容と前記第２演出の演出内容との間に前記規則性が生じないものとなるように制御する非対応制御手段」による制御が行われるといえる。
　したがって、引用発明は、本願発明１の「前記所定状態ではない状態である場合には前記非対応制御手段による制御が行われない」という発明特定事項Ｈに相当する構成を含まない。
（２）小括
　本願発明１は、上記相違点で引用発明と相違するから、新規性を有する。
　また、原査定の理由には上記相違点に関してその進歩性を否定する具体的な事情が示されておらず、また、当業者といえども、引用発明から、上記相違点に係る本願発明１の構成を容易に想到することはできないから、原査定の理由によっては本願発明１の進歩性は否定されない。
　また、他に本願を拒絶すべき理由を発見しない。
２　本願発明２
　本願発明２も、本願発明１の発明特定事項Ｈと同一の発明特定事項を備えるものであるから、本願発明１と同じ理由により、引用発明ではなく、また、引用発明に基いて当業者が容易に発明をすることができたものでもない。
第７　むすび
　以上のとおり、本願発明１ないし２は、引用発明ではなく、また、引用発明に基いて当業者が容易に発明をすることができたものでもない。
　したがって、原査定の理由によっては、本願を拒絶することはできない。
　また、他に本願を拒絶すべき理由を発見しない。
　よって、結論のとおり審決する。